(57)【要約】【課題】登録機器を容易に把握させること。【解決手段】実施形態に係る表示制御システムは、端末装置と、家電機器を制御する制御装置とを具備する。端末装置は、家電機器を特定する特定情報を取得する取得部と、取得部によって取得された特定情報を管理サーバに送信する送信部とを具備する。制御装置は、端末装置の送信部によって特定情報が送信されることで管理サーバから送信された家電機器の詳細情報に基づいて、家電機器を識別する識別情報を家電機器に関連する関連情報と対応付けて表示させる表示制御部を有する。【選択図】図１
2016163321.tif 000002
【特許請求の範囲】
【請求項１】
電気機器を特定する特定情報を取得する取得部と；
前記取得部によって取得された特定情報を管理サーバに送信する送信部と；
を具備する端末装置と、
前記端末装置の送信部によって特定情報が送信されることで前記管理サーバから送信された前記電気機器の詳細情報に基づいて、前記電気機器を識別する識別情報を当該電気機器に関連する関連情報と対応付けて表示させる表示制御部を有する制御装置と；
を具備する表示制御システム。
【請求項２】
前記表示制御部は、
前記関連情報として前記管理サーバから送信される前記電気機器が描出された機器画像を、前記識別情報と対応付けて表示させる
ことを特徴とする請求項１に記載の表示制御システム。
【請求項３】
前記取得部は、
前記特定情報を前記電気機器に付されたコードから取得する
ことを特徴とする請求項１または２に記載の表示制御システム。
【請求項４】
前記取得部は、
前記特定情報として前記電気機器が撮影された撮影画像を取得し、
前記表示制御部は、
前記関連情報として前記撮影画像を、前記管理サーバから送信された、前記撮影画像または前記撮影画像から得られる前記家電機器のシルエット画像を所定の参照画像と照合することで特定された識別情報と、対応付けて表示させる
ことを特徴とする請求項１に記載の表示制御システム。
【請求項５】
コンピュータが、
電気機器を特定する特定情報を取得する取得工程と；
前記取得工程によって取得された特定情報を管理サーバに送信する送信工程と；
前記送信工程によって特定情報が送信されることで前記管理サーバから送信された前記電気機器の詳細情報に基づいて、前記電気機器を識別する識別情報を当該電気機器に関連する関連情報と対応付けて表示させる表示制御工程と；
を実行する表示制御方法。
【請求項６】
コンピュータに、
電気機器を特定する特定情報を取得する取得手順と；
前記取得手順によって取得された特定情報を管理サーバに送信する送信手順と；
前記送信手順によって特定情報が送信されることで前記管理サーバから送信された前記電気機器の詳細情報に基づいて、前記電気機器を識別する識別情報を当該電気機器に関連する関連情報と対応付けて表示させる表示制御手順と；
を実行させる表示制御プログラム。
【請求項７】
電気機器を特定する特定情報を取得する取得部と；
前記取得部によって取得された特定情報を管理サーバに送信する送信部と；
前記送信部によって特定情報が送信されることで前記管理サーバから送信された前記電気機器の詳細情報に基づいて、前記電気機器を識別する識別情報を当該電気機器に関連する関連情報と対応付けて表示する表示制御部と；
を具備する端末装置。
【発明の詳細な説明】
【技術分野】
【０００１】
本発明は、表示制御システム、表示制御方法、表示制御プログラム及び端末装置に関する。
【背景技術】
【０００２】
近年、電気機器等を制御する家電制御システムが普及しつつある。このような家電制御システムの一種として、ＨＥＭＳ（Home  Energy  Management  System）と呼ばれるシステムが知られている。例えば、ＨＥＭＳには、利用者が所有する複数の家電機器が登録される。
【先行技術文献】
【特許文献】
【０００３】
【特許文献１】特開２００６−３２３５９８号公報
【発明の概要】
【発明が解決しようとする課題】
【０００４】
本発明が解決しようとする課題は、登録機器を容易に把握させることができる表示制御システムを提供することである。
【課題を解決するための手段】
【０００５】
実施形態に係る表示制御システムは、端末装置と、家電機器を制御する制御装置とを具備する。前記端末装置は、家電機器を特定する特定情報を取得する取得部と、前記取得部によって取得された特定情報を管理サーバに送信する送信部とを具備する。前記制御装置は、前記端末装置の送信部によって特定情報が送信されることで前記管理サーバから送信された前記家電機器の詳細情報に基づいて、前記家電機器を識別する識別情報を当該家電機器に関連する関連情報と対応付けて表示させる表示制御部を有する。
【０００６】
実施形態の表示制御システムによれば、登録機器を容易に把握させることができるという効果が期待できる。
【図面の簡単な説明】
【０００７】
【図１】図１は、第１の実施形態に係る家電制御システムの構成例を示す図である。
【図２】図２は、第１の実施形態に係る端末装置の構成例を示す図である。
【図３】図３は、第１の実施形態に係る管理サーバの構成例を示す図である。
【図４】図４は、第１の実施形態に係る記憶部の一例を示す図である。
【図５】図５は、第１の実施形態に係る制御装置の構成例を示す図である。
【図６】図６は、第１の実施形態に係る記憶部の一例を示す図である。
【図７】図７は、家電機器の識別情報と、識別情報に対応付けられた機器画像とを対応付けて表示装置に表示させる表示例を示す図である。
【図８】図８は、第１の実施形態に係る家電制御システムによる処理手順を示すシーケンス図である。
【図９】図９は、第１の実施形態の変形例に係る家電機器の構成例を示す図である。
【図１０】図１０は、第１の実施形態の変形例に係る家電制御システムによる処理手順を示すシーケンス図である。
【図１１】図１１は、第２の実施形態に係る家電制御システムによる処理手順を示すシーケンス図である。
【図１２】図１２は、第２の実施形態に係る家電制御システムの処理手順を説明する説明図である。
【図１３】図１３は、変形例に係る端末装置の構成例を示す図である。
【図１４】図１４は、変形例に係る家電制御システムによる処理手順を示すシーケンス図である。
【発明を実施するための形態】
【０００８】
以下で説明する実施形態に係る家電制御システム１（表示制御システムの一例に相当）は、端末装置１００と、端末装置１００と通信可能である制御装置４０とを有する。端末装置１００は、家電機器１０（電気機器に相当）を特定する特定情報を取得する取得部１３１と、取得部１３１によって取得された特定情報を管理サーバに送信する送信部１３２とを具備する。制御装置４０は、端末装置１００の送信部１３２によって特定情報が送信されることで管理サーバ４から送信された家電機器１０の詳細情報に基づいて、家電機器１０を識別する識別情報を家電機器１０に関連する関連情報と対応付けて表示させる表示制御部３３３とを具備する。
【０００９】
また、以下で説明する実施形態に係る制御装置４０において、表示制御部３３３は、関連情報として管理サーバ４から送信される家電機器１０が描出された機器画像を、識別情報と対応付けて表示させてもよい。
【００１０】
また、以下で説明する実施形態に係る端末装置１００において、取得部１３１は、特定情報を家電機器１０に付されたコード、例えばバーコード、ＱＲコード（登録商標）等の２次元コード、または数字、記号、文字等の情報を表す識別子から取得してもよい。
【００１１】
また、以下で説明する実施形態に係る家電制御システム１において、端末装置１００の取得部１３１は、特定情報として家電機器１０が撮影された撮影画像を取得してもよい。制御装置４０の表示制御部３３３は、関連情報として撮影画像を、管理サーバ４から送信された、撮影画像または撮影画像から得られる家電機器のシルエット画像を所定の参照画像と照合することで特定された識別情報と、対応付けて表示させてもよい。
【００１２】
また、以下で説明する実施形態に係る家電制御システム１において、端末装置３０は、家電機器１０を特定する特定情報を取得する取得部１３１と、取得部１３１によって取得された特定情報を制御装置４０に送信する送信部１３２と、送信部１３２によって特定情報が送信されることで管理サーバ４から送信された家電機器１０の詳細情報に基づいて、家電機器１０を識別する識別情報を家電機器１０に関連する関連情報と対応付けて表示する表示制御部２３４とを具備してもよい。
【００１３】
以下、図面を参照して、実施形態に係る表示制御システム、表示制御方法、表示制御プログラム及び制御装置を説明する。実施形態において同一の部位には同一の符号を付し、重複する説明は省略される。
【００１４】
（第１の実施形態）
［家電制御システムの構成］
図１は、第１の実施形態に係る家電制御システム１の構成例を示す図である。図１に示す家電制御システム１は、家電等の制御や監視を実現するシステムであり、ＨＥＭＳなどと呼ばれる。例えば、家電制御システム１は、宅内に設置されている家電機器に関する情報を表示制御する。実施形態に係る家電制御システム１は、ＨＥＭＳ標準プロトコルのＥＣＨＯＮＥＴ  Ｌｉｔｅが適用されているものとする。
【００１５】
この家電制御システム１には、図１に示すように、ホームネットワークシステム２と、ネットワーク５を介してホームネットワーク２に接続される管理サーバ４とが含まれる。ホームネットワークシステム２、端末装置３０及び管理サーバ４は、ネットワーク５を介して、有線または無線により通信可能に接続される。ネットワーク５は、例えば、インターネットなどの公衆回線に該当する。なお、家電制御システム１には、複数のホームネットワークシステム２や、複数台の端末装置３０や、複数台の管理サーバ４が含まれてもよい。
【００１６】
ホームネットワークシステム２は、例えばユーザ宅内や店舗内などに構築され、分電盤１０１、家電機器１０２、家電機器１０３、ゲートウェイ装置２０、制御装置４０、端末装置１００などを有する。
【００１７】
分電盤１０１は、例えばユーザ宅内の壁などに設けられ、各種ブレーカーを有し、家電機器１０２や家電機器１０３へ電力を供給する。以下の説明では、分電盤１０１は、型番「ＭＴＲ−０１０１」の電力メータであるものとする。家電機器１０２や家電機器１０３は、ユーザ宅内に設置されている電化製品である。例えば、家電機器１０２や家電機器１０３は、冷蔵庫、テレビ、エアコン、クッキングヒーター、暖房器具、給湯器、電気錠、インターホン（ドアホン）、照明器具、洗濯機などに該当する。以下の説明では、家電機器１０２は、型番「ＡＣＲ−０１２３」のエアコンであるものとする。家電機器１０３は、型番「ＡＣＲ−０１２４」のエアコンであるものとする。
【００１８】
分電盤１０１、家電機器１０２、家電機器１０３は、例えば、後述する制御装置４０によって「電源のオン／オフ」や「動作モードの切り替え」などの各種制御が行われる。また、分電盤１０１、家電機器１０２、家電機器１０３は、制御装置４０によって動作状況の監視などが行われる。以下では、分電盤１０１及び家電機器１０２〜１０３を区別する必要がない場合には、単に「家電機器１０」と表記する。
【００１９】
ゲートウェイ装置２０は、制御装置４０と接続され、ホームネットワークシステム２を外部のネットワーク５に接続する通信機器である。図１の例では、ゲートウェイ装置２０は、ホームネットワークシステム２内の制御装置４０と、ホームネットワークシステム２外の端末装置３０や管理サーバ４とをネットワーク５を介して接続する。なお、ゲートウェイ装置２０は、制御装置４０と一体的に設けてもよい。すなわち、制御装置４０にゲートウェイ機能を設けた構成としてもよい。
【００２０】
端末装置１００は、例えば、タブレット端末、ＰＣ（Personal  Computer）、携帯電話機、ＰＤＡ（Personal  Data  Assistance）などである。端末装置１００は、無線ＬＡＮ（Local  Area  Network）や有線ＬＡＮなどを介して、宅内から制御装置４０に接続される。これにより、端末装置１００は、宅内から家電機器１０を制御することができる。また、端末装置１００は、予め搭載されたカメラ機能を用いてコード、例えば、バーコード、ＱＲコード(登録商標)等の２次元コード、または数字、記号、文字等の情報を表す識別子の読み取りや被写体の撮影を行う。また、端末装置１００は、ユーザ操作に従って家電機器１０に関する各種情報を制御装置４０に送信する。また、端末装置１００は、制御装置４０や管理サーバ４から受信した家電機器１０に関する各種情報を表示する。
【００２１】
制御装置４０は、家電機器１０を制御する。例えば、制御装置４０は、アクセスポイントまたはハブとしての役割を担い、Ｂｌｕｅｔｏｏｔｈ（登録商標）などの近距離無線技術や宅内ＬＡＮを用いて、ゲートウェイ装置２０や端末装置１００や家電機器１０と通信を行う。また、制御装置４０は、宅内に設置されている家電機器１０に関する各種情報を表示制御する。このように、ホームネットワークシステム２を利用するユーザは、端末装置１００や端末装置３０を用いて、制御装置４０を介して家電機器１０を管理することができる。
【００２２】
端末装置３０は、端末装置１００と同じ機能を有する装置である。端末装置３０は、無線ＬＡＮや有線ＬＡＮなどを介して公衆回線であるネットワーク５に接続される。例えば、端末装置３０は、ネットワーク５を介して、宅外から制御装置４０や管理サーバ４などに接続される。これにより、端末装置３０は、宅外から家電機器１０を制御することができる。
【００２３】
管理サーバ４は、ネットワーク５を介して端末装置１００から家電機器１０に関する各種情報を受信する。また、管理サーバ４は、ネットワーク５を介して制御装置４０に家電機器１０に関する各種情報を送信する。これにより、制御装置４０は、ホームネットワークシステム２内に設置されている家電機器１０に関する各種情報を表示制御する。
【００２４】
本実施形態に係る家電制御システム１では、制御装置４０に家電機器１０のＭＡＣアドレス、製品名、型番などの識別情報が登録済みであるものとする。識別情報の登録は、例えば制御装置４０と家電機器１０との通信が確立したときに、制御装置４０が家電機器１０から受信したＭＡＣアドレスや型番等の識別情報を記憶するようにしてもよいし、通信内容から家電機器１０の製品名を特定し制御装置４０に記憶してもよい。これによって、制御装置４０は通信可能な家電機器１０の識別情報を登録しておくことができる。このため、ユーザは、端末装置１００や端末装置３０を用いて、宅内にある家電機器１０が表示された一覧を閲覧したり、制御対象とする家電機器１０を選択することができる。しかしながら、制御装置４０には、ＭＡＣアドレス、製品名、型番などの識別情報が表示されるに過ぎないので、ユーザが制御対象とする家電機器１０を容易に選択することができるとは限らない。
【００２５】
そこで、本実施形態に係る家電制御システム１では、識別情報を家電機器１０が描出された関連情報としての機器画像と対応付けて表示することで、視覚的に登録機器を把握させやすくする。具体的には、家電制御システム１では、まず、端末装置１００は、ユーザの操作によって家電機器１０に付されたコード、例えば、バーコード、ＱＲコード（登録商標）等の２次元コード、または数字、記号、文字等の情報を表す識別子から識別情報を取得する。その後、端末装置１００は、取得した識別情報を家電機器１０を特定する特定情報として管理サーバ４に送信する。そして、制御装置４０は、当該識別情報に対応する家電機器１０が描出された機器画像を管理サーバ４から受信する。その後、制御装置４０は自身に登録済みの識別情報と管理サーバ４から受信した識別情報とを対応付けることで、識別情報を機器画像と対応付けて表示する。このとき、管理サーバ４から受信した識別情報が制御装置４０に登録されていない場合にはその旨を端末装置１００に表示してもよい。
【００２６】
［端末装置の構成］
図２は、第１の実施形態に係る端末装置１００の構成例を示す図である。図２に示すように、実施形態に係る端末装置１００は、通信部１１０と、撮影部１２０と、制御部１３０とを有する。
【００２７】
通信部１１０は、無線通信処理や有線通信処理を行う。例えば、通信部１１０は、図１に示した家電機器１０や制御装置４０、ゲートウェイ装置２０、管理サーバ４との間で、無線通信または有線通信により各種情報を送受信する。
【００２８】
撮影部１２０は、ＣＣＤ（Charge  Coupled  Device）やＣＭＯＳ（Complementary  Metal  Oxide  Semiconductor）などの撮像素子を搭載する撮像装置である。撮影部１２０の実装例としては、携帯端末に予め搭載されているカメラを採用できる。例えば、撮影部１２０は、電気機器に付されたＱＲコード（登録商標）などの二次元コードやバーコードなどの一次元コードを読み取る。また、撮影部１２０は、被写体が描出された画像を生成する。
【００２９】
制御部１３０は、例えば、ＡＳＩＣ（Application  Specific  Integrated  Circuit）やＦＰＧＡ（Field  Programmable  Gate  Array）等の集積回路により実現される。また、制御部１３０は、例えば、ＣＰＵ（Central  Processing  Unit）やＭＰＵ（Micro  Processing  Unit）等によって、内部の記憶装置に記憶されているプログラムがＲＡＭ（Random  Access  Memory）を作業領域として実行されることにより実現される。制御部１３０は、取得部１３１と、送信部１３２とを有する。
【００３０】
取得部１３１は、家電機器１０を識別する識別情報を家電機器１０に付されたコードから取得する。例えば、取得部１３１は、撮影部１２０によって読み取られたＱＲコード（登録商標）などの二次元コードやバーコードなどの一次元コードから識別情報として製品名、型番、ＭＡＣアドレスなどを取得する。また、取得部１３１は、特定情報として、家電機器１０が撮影された撮影画像を取得してもよい。
【００３１】
送信部１３２は、取得部１３１によって取得された製品名、型番、ＭＡＣアドレスなど識別情報を家電機器１０の特定情報として管理サーバ４に送信する。
【００３２】
［管理サーバの構成］
図３は、第１の実施形態に係る管理サーバ４の構成例を示す図である。図３に示すように、実施形態に係る管理サーバ４は、通信部４１０と、記憶部４２０と、制御部４３０とを有する。
【００３３】
通信部４１０は、無線通信処理や有線通信処理を行う。例えば、通信部４１０は、図１に示した端末装置１００や制御装置４０、ゲートウェイ装置２０、端末装置３０との間で、無線通信または有線通信により各種情報を送受信する。
【００３４】
記憶部４２０は、ＲＡＭ、フラッシュメモリ（Flash  Memory）等の半導体メモリ素子、または、ハードディスク、光ディスク等の記憶装置によって実現される。具体的には、記憶部４２０は、家電機器１０に関する各種情報を記憶する。例えば、記憶部４２０は、家電機器１０を識別する製品名や型番等の識別情報と、家電機器１０が描出された機器画像とを予め保持する。ここで、図４に、第１の実施形態に係る記憶部４２０の一例を示す。図４に示すように、記憶部４２０は、「製品名」、「型番」、「機器画像」といった項目を有する。
【００３５】
「製品名」または「型番」は、家電機器１０を識別するための識別情報を示す。「機器画像」は、「製品名」または「型番」に対応する家電機器が描出された画像を示す。例えば、「機器画像」には、製造メーカがカタログや商品データベースなどで提供している予め用意された画像が記憶される。なお、「機器画像」には、画像のファイルが格納されている場所を示すＵＲＬなどが記憶されてもよい。
【００３６】
すなわち、図４では、家電機器１０を識別する識別情報である製品名「電力メータ」、型番「ＭＴＲ−０１０１」が、型番「ＭＴＲ−０１０１」が描出された画像Ｐ１と対応付けて記憶されている例を示している。
【００３７】
制御部４３０は、例えば、ＡＳＩＣやＦＰＧＡ等の集積回路により実現される。また、制御部４３０は、例えば、ＣＰＵやＭＰＵ等によって、内部の記憶装置に記憶されているプログラムがＲＡＭを作業領域として実行されることにより実現される。制御部４３０は、受信部４３１と、抽出部４３２と、送信部４３３とを有する。
【００３８】
受信部４３１は、端末装置１００から送信された家電機器１０の特定情報を受信する。例えば、受信部４３１は、特定情報として家電機器１０を識別する製品名、型番、ＭＡＣアドレスなどの識別情報を端末装置１００から受信する。
【００３９】
抽出部４３２は、受信部４３１によって受信された特定情報に基づいて、家電機器１０の機器画像を抽出する。
【００４０】
送信部４３３は、抽出部４３２によって抽出された機器画像を識別情報とともに詳細情報として制御装置４０に向けて送信する。
【００４１】
［制御装置の構成］
図５は、第１の実施形態に係る制御装置４０の構成例を示す図である。図５に示すように、実施形態に係る制御装置４０は、通信部３１０と、記憶部３２０と、制御部３３０とを有する。
【００４２】
通信部３１０は、無線通信処理や有線通信処理を行う。例えば、通信部３１０は、図１に示した端末装置１００や管理サーバ４、家電機器１０、ゲートウェイ装置２０との間で、無線通信または有線通信により各種情報を送受信する。
【００４３】
記憶部３２０は、ＲＡＭ、フラッシュメモリ等の半導体メモリ素子、または、ハードディスク、光ディスク等の記憶装置によって実現される。具体的には、記憶部３２０は、家電機器１０に関する各種情報を記憶する。例えば、記憶部３２０は、管理サーバ４から受信した家電機器１０に関する各種情報やユーザによって入力された情報を記憶する。
【００４４】
一例としては、記憶部３２０は、家電機器１０を識別する識別情報と、家電機器１０をネットワーク上で識別するアドレスと、家電機器１０が描出された機器画像と、家電機器１０に対するコメントなどを記憶する。ここで、図６に、第１の実施形態に係る記憶部３２０の一例を示す。図６に示すように、記憶部３２０は、「製品名」、「型番」、「ＭＡＣアドレス」、「機器画像」、「コメント」といった項目を有する。
【００４５】
「製品名」または「型番」は、家電機器１０を識別するための情報であり、「ＭＡＣアドレス」は、家電機器１０に一意に割り当てられた装置固有の物理アドレスを示す。「機器画像」は、「製品名」または「型番」に対応する家電機器１０が描出された画像を示す。なお、「機器画像」には、画像のファイルが格納されている場所を示すＵＲＬなどが記憶されてもよい。「コメント」は、家電機器１０に対するコメントを示す。例えば、「コメント」には、ユーザの操作によって入力または選択された家電機器１０の設置場所を示す情報が記憶される。
【００４６】
すなわち、図６では、製品名「電力メータ」、型番「ＭＴＲ−０１０１」である家電機器１０と、この家電機器１０に割り当てられたＭＡＣアドレス「XX-XX-XX-XX-XX-X1」、関連情報としての機器画像Ｐ１、設置場所を示すコメント「玄関」とが対応付けて記憶されている例を示している。
【００４７】
制御部３３０は、例えば、ＡＳＩＣやＦＰＧＡ等の集積回路により実現される。また、制御部３３０は、例えば、ＣＰＵやＭＰＵ等によって、内部の記憶装置に記憶されているプログラムがＲＡＭを作業領域として実行されることにより実現される。制御部３３０は、受信部３３１と、格納部３３２と、表示制御部３３３とを有する。
【００４８】
受信部３３１は、各種情報を受信する。具体的には、受信部３３１は、家電機器１０の詳細情報として、識別情報や家電機器１０が描出された機器画像などを管理サーバ４から受信する。また、受信部３３１は、家電機器１０に対するコメントなどを端末装置１００から受信する。
【００４９】
格納部３３２は、受信部３３１によって受信された家電機器１０を識別する識別情報や家電機器１０をネットワーク上で識別するアドレス、家電機器１０が描出された機器画像、家電機器１０に対するコメントなどの各種情報を記憶部３２０に格納する。例えば、格納部３３２は、制御装置４０が家電機器１０と接続されたときに製品名や型番、ＭＡＣアドレスなどを自動取得して記憶部３２０に格納してもよい。また、ユーザの操作によってコメントが入力されたときに、コメントを記憶部３２０に格納してもよい。
【００５０】
表示制御部３３３は、家電機器１０に関する各種情報を端末装置１００に表示制御する。また、表示制御部３３３は、液晶ディスプレイ等の表示部およびブラウザ機能を有する、タブレット端末、ＰＣ（Personal  Computer）、携帯電話機、ＰＤＡ（Personal  Data  Assistance）などの表示装置に家電機器１０に関する各種情報を表示制御してもよい。具体的には、表示制御部３３３は、送信部１３２によって特定情報が送信されることで管理サーバ４から送信された家電機器１０の詳細情報に基づいて、家電機器１０を識別する識別情報と家電機器１０に関連する関連情報としての機器画像とを対応付けて表示させる。
【００５１】
図７は、家電機器の識別情報と、識別情報に対応付けられた機器画像とを対応付けて表示装置に表示させる表示例を示す図である。例えば、端末装置１００のブラウザ機能を用いて制御装置４０にアクセスすることで、図７に示す表示画面Ｗ１を表示させることができる。ここで、製品名Ｎ１「電力メータ」を、機器画像Ｐ１と対応付けて表示する。なお、製品名Ｎ１には、型番「ＭＴＲ−０１０１」がさらに対応付けられて表示されてもよい。これにより、表示制御部３３３は、家電機器が描出された画像を識別情報と並べて表示することができるので、ユーザにとって視覚的に家電機器をわかり易くすることができる。
【００５２】
また、表示制御部３３３は、家電機器１０に対するコメントＣ１及び設定ボタンＢ１を、製品名Ｎ１、機器画像Ｐ１と対応付けて表示させる。図７の例では、コメントＣ１には、ユーザによって入力または選択された家電機器１０の設置場所である「玄関」が表示される。設定ボタンＢ１は、ユーザによって押下されることでコメントＣ１に入力された情報を家電機器１０の設置場所として設定する。例えば、設定ボタンＢ１がユーザによって押下された場合に、格納部３３２は、コメントＣ１に入力された情報を記憶部３２０の「コメント」に格納する。
【００５３】
［家電制御システムの処理手順］
次に、図８を用いて、家電制御システム１による処理の手順について説明する。図８は、第１の実施形態に係る家電制御システム１による処理手順を示すシーケンス図である。
【００５４】
図８に示した例において、端末装置１００は、家電機器１０に添付されたＱＲコード（登録商標）を読み取る（ステップＳ１０１）。これにより、端末装置１００は、家電機器１０から家電機器１０を特定する特定情報として、家電機器１０を識別する識別情報を取得する（ステップＳ１０２）。
【００５５】
続いて、端末装置１００は、家電機器１０から取得した識別情報を特定情報として管理サーバ４に送信する（ステップＳ１０３）。これにより、管理サーバ４は、端末装置１００から識別情報を受信する。
【００５６】
そして、管理サーバ４は、家電機器１０の詳細情報として、識別情報に対応する機器画像を抽出する（ステップＳ１０４）。その後、管理サーバ４は、抽出した機器画像を識別情報とともに詳細情報として制御装置４０に送信する（ステップＳ１０５）。これにより、制御装置４０は、管理サーバ４から家電機器１０が描出された機器画像を受信する。その後、制御装置４０は、管理サーバ４から受信した機器画像を関連情報として記憶部３２０に格納する（ステップＳ１０６）。
【００５７】
続いて、制御装置４０は、管理サーバ４から受信した詳細情報に基づいて、家電機器１０を識別する識別情報を家電機器１０に関連する関連情報としての機器画像に対応付けて表示させる。例えば、制御装置４０は、ユーザから登録機器一覧の表示要求を受け付けた場合に、製品名などの識別情報を、機器画像と対応付けて表示させる（ステップＳ１０７）。  
【００５８】
［開通処理］
上記実施形態では、家電制御システム１は、家電機器１０の登録を行う開通処理を制御装置４０と家電機器１０との間で行ってもよい。この点について、図９及び図１０を用いて説明する。
【００５９】
図９は、第１の実施形態の変形例に係る家電機器１０の構成例を示す図である。図９に示すように、家電機器１０は、通信部１１と、制御部１２とを有する。
【００６０】
通信部１１は、無線通信処理や有線通信処理を行う。例えば、通信部１１は、制御装置４０や管理サーバ４、端末装置１００、ゲートウェイ装置２０との間で、無線通信または有線通信により各種情報を送受信する。
【００６１】
制御部１２は、例えば、ＡＳＩＣやＦＰＧＡ等の集積回路により実現される。また、制御部１２は、例えば、ＣＰＵやＭＰＵ等によって、内部の記憶装置に記憶されているプログラムがＲＡＭを作業領域として実行されることにより実現される。制御部１２は、受信部１３と、開通処理部１４と、送信部１５とを有する。
【００６２】
受信部１３は、家電機器１０の登録許可を要求する通信路開通要求を制御装置４０から受信する。例えば、受信部１３は、制御装置４０が管理サーバ４から詳細情報を受信した場合に送信される通信路開通要求を受信する。
【００６３】
開通処理部１４は、通信路を開通する処理を行う。例えば、開通処理部１４は、受信部１３によって制御装置４０から通信路開通要求が受信された場合に、制御装置４０に対して通信路を開通する。これにより、制御装置４０は、家電機器１０を登録することが可能となる。
【００６４】
送信部１５は、通信路開通処理を完了した旨を知らせる完了通知を制御装置４０に送信する。これにより、家電機器１０は、制御装置４０に家電機器１０の登録を許可する。そして、制御装置４０は、完了通知を制御装置４０から受信した場合に、許可された家電機器１０を登録する。
【００６５】
次に、図１０を用いて、家電制御システム１による処理手順を説明する。図１０は、第１の実施形態の変形例に係る家電制御システム１による処理手順を示すシーケンス図である。図１０に示すように、まず、家電制御システム１は、上述した処理ステップＳ１０１〜ステップＳ１０６を実行する。
【００６６】
そして、制御装置４０は、管理サーバ４から家電機器１０の機器画像を受信した場合に、通信路開通要求を家電機器１０に送信する（ステップＳ３０７）。これにより、家電機器１０は、制御装置４０から通信路開通要求を受信する。
【００６７】
続いて、家電機器１０は、通信路開通処理を実行する（ステップＳ３０８）。その後、家電機器１０は、通信路開通処理を完了した場合に、通信路開通処理が完了した旨を知らせる完了通知を送信する（ステップＳ３０９）。
【００６８】
これにより、制御装置４０は、家電機器１０から完了通知を受信する。これにより、制御装置４０は、家電機器１０を登録する。その後、制御装置４０は、ユーザから登録機器の一覧表示の要求を受け付けた場合に、識別情報を関連情報として機器画像と対応付けて表示させる（ステップＳ３１０）。
【００６９】
このように、家電制御システム１は、家電機器１０の登録を行う開通処理を制御装置４０と家電機器１０との間で行う。これにより、家電制御システム１は、登録する家電機器１０との間で通信の確認を行うので、家電機器１０の誤登録を防止することができる。
【００７０】
［実施形態の効果］
上述してきたように、実施形態に係る家電制御システム１によれば、家電機器１０の識別情報を家電機器１０が描出された機器画像と対応付けて表示することができるので、登録機器を容易に把握させることができる。例えば、家電制御システム１は、視覚的に把握しにくい製品名、型番を機器画像と並べて表示するので、ユーザにとって登録機器をわかり易くすることができる。
【００７１】
（第２の実施形態）
［撮影画像を家電機器の特定情報として送信］
上記実施形態では、制御装置４０は、特定情報として家電機器１０の識別情報を送信し、識別情報から家電機器１０が描出された機器画像を抽出する例を示した。しかし、端末装置１００は、特定情報として家電機器自体を撮像した撮影画像を送信し、管理サーバ４によって所定の参照画像と照合することで識別情報を特定するとともに、参照画像から家電機器１０が描出された機器画像を抽出してもよい。この点について、図１１及び図１２を用いて説明する。なお、各構成要件については、第１の実施形態と同様であるので、同符号を付して詳細な説明は省略する。
【００７２】
図１１は、第２の実施形態に係る家電制御システム１による処理手順を示すシーケンス図である。図１２は、第２の実施形態に係る家電制御システムの処理手順を説明する説明図である。図１１に示すように、まず、家電制御システムの端末装置１００は、撮影部１２０を用いて家電機器１０を撮影することで、撮影画像を取得する（ステップＳ２０１）。例えば、端末装置１００は、図１２に示すように、家電機器１０を撮影することで撮影画像Ｐｈを取得する。その後、端末装置１００は、家電機器１０が撮影された撮影画像を家電機器１０を特定する特定情報として管理サーバ４に送信する（ステップＳ２０２）。
【００７３】
管理サーバ４は、受信した家電機器１０が撮影された撮影画像をシルエット変換する（ステップＳ２０３）。これにより、管理サーバ４は、家電機器１０の輪郭で表示されたシルエット画像を取得する。そして、管理サーバ４は、シルエット画像に基づいて識別情報および機器画像を詳細情報として抽出する（ステップＳ２０４）。この場合、管理サーバ４は、各種の家電機器１０の３Ｄシルエットデータを識別情報および機器画像と対応付けて記憶部４２０に予め保持しておき、シルエット画像を所定の参照画像と照合することで識別情報を特定する。例えば、管理サーバ４は、図１２に示すように、シルエット画像Ｐｓを予め用意された３ＤシルエットデータＤｓと照合する。そして、シルエット画像Ｐｓと予め用意された３ＤシルエットデータＤｓの中で最も類似度が高い３ＤシルエットデータＤｓに対応する識別情報である製品名「エアコン」、機器画像（図示せず）を記憶部４２０から抽出する。
【００７４】
その後、管理サーバ４は、抽出した識別情報および機器画像を詳細情報として制御装置４０に送信する（ステップＳ２０５）。これにより、制御装置４０は、識別情報および機器画像を管理サーバ４から受信し、受信した識別情報を記憶部３２０に格納する（ステップＳ２０６）。
【００７５】
そして、制御装置４０は、ユーザから登録機器一覧の表示要求を受け付けた場合に、機器画像を識別情報と対応付けて表示させる（ステップＳ２０７）。
【００７６】
このように、端末装置１００は、特定情報として家電機器１０が撮影された撮影画像から得られる画像情報を取得し、取得された画像情報を管理サーバ４に送信する。制御装置４０は、関連情報として機器画像を、管理サーバ４によって所定の参照画像と照合することで特定された識別情報と対応付けて表示させる。
【００７７】
これにより、家電制御システムは、第１の実施形態と同様の効果を得ることができる。つまり、機器画像を識別情報と対応付けて表示させることができるので、登録機器を容易に把握させることができる。さらに、家電機器を撮像し、管理サーバ４に送信することによって、識別情報と機器画像とを対応付けて表示させることができるので、家電機器にコード等を付与する必要がない。また、ＱＲコード（登録商標）等の読み取りには家電機器に近づく必要があるため、家電機器が高所に設置される場合には識別情報の取得が困難になるが、本実施形態では家電機器から離れた位置で撮像した撮像画像を特定情報として管理サーバ４へ送信することができる。
【００７８】
また、管理サーバ４は、複数の識別情報を候補として抽出してもよい。例えば、管理サーバ４は、シルエット画像と類似度が所定の範囲内にある３Ｄシルエットデータに対応する識別情報を記憶部４２０から抽出する。そして、制御装置４０は、抽出された複数の識別情報を候補として機器画像とともに表示してもよい。これにより、家電制御システムは、絞られた候補中から識別情報を選択させることができるので、ユーザの負荷を軽減することができる。
【００７９】
なお、管理サーバ４から詳細情報として識別情報と機器画像とを制御装置４０が受信する場合について説明したが、管理サーバ４が識別情報と撮像画像を詳細情報として送信し、識別情報と撮像画像とを対応付けて表示するようにしてもよい。この場合には、撮像画像の背景によって、家電機器の設置場所を容易に判別することができる。
【００８０】
さらに、端末装置１００が送信した撮像画像によって、管理サーバ４から詳細情報として識別情報のみを制御装置４０が受信するようにし、端末装置１００から制御装置４０に撮像画像を送信し、制御装置４０で識別情報と撮像画像とを対応付けて保存し、識別情報と撮像画像とを対応付けて表示するようにしてもよい。また、シルエット画像は、管理サーバ４に限らず、端末装置１００によって生成されてもよい。この場合、端末装置１００は、撮影画像をシルエット変換し管理サーバ４に送信する。
【００８１】
［端末装置が識別情報を関連情報と対応付けて表示］
上記実施形態では、家電制御システム１は、制御装置４０が家電機器１０の識別情報を機器画像と対応付けて表示する例を示した。しかし、家電制御システム１は、制御装置４０に限らず、端末装置１００が識別情報を機器画像と対応付けて表示してもよい。この点について、図１３及び図１４を用いて説明する。
【００８２】
図１３は、変形例に係る端末装置２００の構成例を示す図である。図１３に示すように、端末装置２００は、端末装置１００と比較して、制御部１３０と機能が異なる制御部２３０とをさらに有する。
【００８３】
制御部２３０は、制御部１３０と比較して、受信部２３３と、表示制御部２３４とをさらに有する。
【００８４】
受信部２３３は、送信部１３２によって特定情報が送信されることで管理サーバ４から送信された家電機器１０の詳細情報を受信する。例えば、受信部２３３は、詳細情報として、家電機器１０に関連する関連情報を受信する。一例としては、受信部２３３は、関連情報として、機器画像を受信する。
【００８５】
表示制御部２３４は、受信部２３３によって受信された各種情報を表示制御する。具体的には、表示制御部２３４は、送信部１３２によって特定情報が送信されることで管理サーバ４から送信された家電機器１０の詳細情報に基づいて、家電機器１０を識別する識別情報を家電機器１０に関連する関連情報と対応付けて表示する。例えば、表示制御部２３４は、識別情報を機器画像と対応付けて表示する。
【００８６】
次に、図１４を用いて、変形例に係る家電制御システム１による処理手順を説明する。図１４は、変形例に係る家電制御システム１による処理手順を示すシーケンス図である。図１４に示すように、まず、家電制御システム１は、上述した処理ステップＳ１０１〜ステップＳ１０６を実行する。
【００８７】
その後、端末装置２００は、制御装置４０に関連情報として機器画像の取得要求を送信する（ステップＳ４０７）。これにより、制御装置４０は、端末装置２００から関連情報として機器画像の取得要求を受信する。
【００８８】
そして、管理サーバ４は、端末装置２００から機器画像の取得要求を受信した場合に、家電機器１０の関連情報として機器画像を端末装置２００に送信する（ステップＳ４０８）。これにより、端末装置２００は、管理サーバ４から関連情報として機器画像を受信する。
【００８９】
続いて、端末装置２００は、管理サーバ４から受信した家電機器１０の詳細情報に基づいて、家電機器１０を識別する識別情報を家電機器１０に関連する関連情報と対応付けて表示する。例えば、端末装置２００は、識別情報を関連情報として機器画像と対応付けて表示部に表示する（ステップＳ４０９）。
【００９０】
このように、端末装置２００は、家電機器１０を特定する特定情報を取得する。また、端末装置２００は、取得された特定情報を制御装置４０に送信する。また、端末装置２００は、送信部１３２によって特定情報が送信されることで管理サーバ４から送信された家電機器１０の詳細情報に基づいて、家電機器１０を識別する識別情報を家電機器１０に関連する関連情報と対応付けて表示する。
【００９１】
これにより、端末装置２００は、家電機器１０の識別情報を家電機器１０が描出された機器画像と対応付けて表示することができるので、ユーザに登録機器を容易に把握させることができる。
【００９２】
以上説明したとおり、上記実施形態によれば、登録機器を容易に把握させることができる。
【００９３】
なお、上記実施形態では、ＥＣＨＯＮＥＴ  Ｌｉｔｅを例に挙げて説明したが、上述してきた各実施形態は、ＥＣＨＯＮＥＴにも同様に適用することができる。
【００９４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９５】
１  家電制御システム
１０  家電機器
４０  制御装置
１００  端末装置
１３１  取得部
１３２  送信部
３３３  表示制御部
【図１】
2016163321.tif 000003
【図２】
2016163321.tif 000004
【図３】
2016163321.tif 000005
【図４】
2016163321.tif 000006
【図５】
2016163321.tif 000007
【図６】
2016163321.tif 000008
【図７】
2016163321.tif 000009
【図８】
2016163321.tif 000010
【図９】
2016163321.tif 000011
【図１０】
2016163321.tif 000012
【図１１】
2016163321.tif 000013
【図１２】
2016163321.tif 000014
【図１３】
2016163321.tif 000015
【図１４】
2016163321.tif 000016